(57)【要約】【課題】キャスタを取り付ける作業が容易である。【解決手段】自動取引装置のキャスタ取付構造であって、前記自動取引装置の底部と、板状をなし、１又は２以上のキャスタが予め一方の面に固設されているキャスタ治具５と、を備え、キャスタ治具５には、前記底部に固定するための孔部５ｂが形成されており、孔部５ｂは、キャスタ治具５の前記底部への固定の際に、傾き調整用ボルト３のための孔として使われる。【選択図】図４
2017083961.tif 000002
【特許請求の範囲】
【請求項１】
自動取引装置のキャスタ取付構造であって、
前記自動取引装置の底部と、
板状をなし、１又は２以上のキャスタが予め一方の面に固設されているキャスタ治具と、を備え、
前記キャスタ治具には、前記底部に固定するための孔部が形成されており、
前記孔部は、前記キャスタ治具の前記底部への固定の際に、傾き調整用ボルトのための孔として使われる、
ことを特徴とするキャスタ取付構造。
【請求項２】
前記キャスタ治具の前記キャスタが固設されていない側の面には、前記底部における当該キャスタ治具の位置決めを行うためのポストが形成されている、
ことを特徴とする請求項１に記載のキャスタ取付構造。
【請求項３】
前記キャスタ治具には、前記孔部が複数形成されており、
前記複数の孔部は、前記キャスタ治具の前記底部への固定の際に、傾き調整用ボルトのための孔として使われる、
ことを特徴とする請求項１に記載のキャスタ取付構造。
【請求項４】
前記キャスタ治具は、切欠き部が形成された板状の本体部と、前記底部における当該本体部の位置決めを行うガイド部とからなり、
前記孔部は、前記切欠き部が形成されている部分に前記ガイド部が装着されることにより形成される、
ことを特徴とする請求項１に記載のキャスタ取付構造。
【請求項５】
自動取引装置の底部にキャスタを取り付けるキャスタ取付構造であって、
前記底部に形成された穴部および前記穴部に螺合する傾き調整用ボルトからなる傾き調整機構と、
板状をなし、何れか一方の面にキャスタが固設されたキャスタ治具と、を備え、
前記キャスタ治具は、前記傾き調整用ボルトによって前記底部に締着される、
ことを特徴とするキャスタ取付構造。
【発明の詳細な説明】
【技術分野】
【０００１】
本発明は、自動取引装置のキャスタ取付構造に関する。
【背景技術】
【０００２】
複写機等の重量物の構造体には、移動を容易にするために、筺体の下部にキャスタを取り付けることが多い（特許文献１参照）。また、金融機関やコンビニエンスストア等の小売店で使用する自動取引装置には、傾きを調整する傾き調整用のボルトをキャスタに加えて取り付けることが可能な構造になっているものが存在する。
【０００３】
設置時および移動時において、自動取引装置を安定させるために、通常、傾き調整用のボルトとキャスタとの双方は、筺体の底部の四隅に設けられる。ここで、キャスタは移動が必要な場合にのみ取り付けるため、移動の際に筺体を持ち上げて下からキャスタをネジ止めする。この際、自動取引装置の重量が大きいため、自動取引装置をフォークリフト等で持ち上げて、自動取引装置の下側からキャスタをネジ止めする必要がある。
【先行技術文献】
【特許文献】
【０００４】
【特許文献１】特開２００１−１８７９０８号公報
【発明の概要】
【発明が解決しようとする課題】
【０００５】
しかしながら、従来の自動取引装置では、移動時に自動取引装置をフォークリフト等で持ち上げて、自動取引装置の下側からキャスタをネジ止めする必要があるため、作業者は自分の体が自動取引装置の下側にくるように姿勢をかがめて作業を行う必要がある。その為、作業者は、短時間で作業を終えることが難しく、かがんだ姿勢を長時間続けることは体への負担が大きかった。また、重量物の下に体が入るため、危険な作業を長時間続ける必要があるという問題もあった。
【０００６】
本発明は、前記問題に鑑みてなされたものであり、キャスタを取り付ける作業が容易であるキャスタ取付構造を提供することを課題とする。
【課題を解決するための手段】
【０００７】
前記課題を解決するため、本発明に係るキャスタ取付構造は、自動取引装置（１）のキャスタ取付構造であって、前記自動取引装置（１）の底部と、板状をなし、１又は２以上のキャスタが予め一方の面に固設されているキャスタ治具（５）と、を備え、前記キャスタ治具には、前記底部に固定するための孔部（５ｂ）が形成されており、前記孔部は、前記キャスタ治具の前記底部への固定の際に、傾き調整用ボルト（３）のための孔として使われる、ことを特徴とする。但し、括弧内の符号は例示である。
【発明の効果】
【０００８】
本発明によれば、キャスタを取り付ける作業が容易である。
【図面の簡単な説明】
【０００９】
【図１】第１実施形態に係る自動取引装置のキャスタ取付後の外観斜視図である。
【図２】第１実施形態に係る自動取引装置のキャスタ取付後の底面図である。
【図３】第１実施形態に係る自動取引装置のキャスタ取付前の底面図である。
【図４】第１実施形態に係るキャスタ取付構造の外観斜視図である。
【図５】キャスタを説明するための図であり、（ａ）は側面図であり、（ｂ）は平面図である。
【図６】第１実施形態に係るキャスタ取付構造を構成するキャスタ治具を説明するための図であり、（ａ）は平面図であり、（ｂ）は側面図である。
【図７】第１実施形態に係るキャスタ取付構造を構成するキャスタ治具を用いたキャスタの取り付け方法を説明するための図であり、（ａ）は取り付けの第１段階を示し、（ｂ）は取り付けの第２段階を示し、（ｃ）は取り付けの第３段階を示す。
【図８】第２実施形態に係る自動取引装置のキャスタ取付後の底面図である。
【図９】第２実施形態に係る自動取引装置のキャスタ取付前の底面図である。
【図１０】第２実施形態に係るキャスタ取付構造の外観斜視図である。
【図１１】第２実施形態に係るキャスタ取付構造を構成するキャスタ治具の平面図である。
【図１２】第３実施形態に係る自動取引装置のキャスタ取付後の底面図である。
【図１３】第３実施形態に係るキャスタ取付構造の外観斜視図である。
【図１４】第３実施形態に係るキャスタ取付構造を構成するキャスタ治具の分解斜視図である。
【発明を実施するための形態】
【００１０】
以下、図面を参照して、本発明の実施の形態につき詳細に説明する。
各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている。なお、各図において、共通する構成要素や同様な構成要素については、同一の符号を付し、それらの重複する説明を省略する。
【００１１】
［第１実施形態］
≪第１実施形態に係る自動取引装置の構成≫
第１実施形態に係る自動取引装置１の構成を図１および図２に示す。自動取引装置１は、銀行等の金融機関、小売業店舗等に設置される現金自動預払機（ＡＴＭ）や現金処理機などである。ここでは、自動取引装置１として現金自動預払機を想定して説明する。
【００１２】
自動取引装置１は、箱型の筺体２と、筺体２の傾きを調整するための傾き調整用の四本のボルト３，３，・・と、移動用の四つのキャスタ４，４，・・と、キャスタ４，４，・・を筺体２に取り付ける四つのキャスタ治具５ｆｒ，５ｆｌ，５ｒｒ，５ｒｌとを備えて構成されている。キャスタ治具５ｆｌとキャスタ治具５ｆｒとは左右対称の形状をなしている。また、キャスタ治具５ｆｒとキャスタ治具５ｒｒとは前後対称の形状をなしており、また、キャスタ治具５ｆｌとキャスタ治具５ｒｌとは前後対称の形状をなしている。以下では、各々のキャスタ治具５ｆｒ，５ｆｌ，５ｒｒ，５ｒｌを特に区別しない場合に、単にキャスタ治具５と呼ぶことにする。
【００１３】
なお、銀行等の金融機関、小売業店舗等に設置された状態において、各々のキャスタ４および各々のキャスタ治具５は、自動取引装置１から取り外される。キャスタ治具５を用いたキャスタ４の取り付け方法および取り外し方法については後記する。以下では、筺体２にキャスタ４を取り付けるのに必要な構成（例えば、キャスタ治具５および筺体２の底部に形成される穴部２ａ，２ｂ（図３参照））をまとめて「キャスタ取付構造」と呼ぶことにする。
【００１４】
筺体２の内部には、種々の電子機器や現金が収容されており、筺体２の前面側には、顧客が対峙して操作を行う種々の操作部が形成されている。筺体２の底部は、平面状をなしており、図３に示すように、四隅に１箇所ずつ合計で四つの穴部２ａ，２ａ，・・が形成されている。また、各々の穴部２ａの近傍には、それぞれ１箇所ずつ合計で四つの穴部２ｂ，２ｂ，・・が形成されている。これらの穴部２ａ，２ｂは、キャスタ取付構造の一部である。穴部２ａは、図４に示すように、傾き調整用のボルト３を取り付けるためのネジ穴（雌ネジ）である。穴部２ｂは、キャスタ治具５の位置決めに用いられる凹部であり、キャスタ治具５に形成されたポスト５ｃが嵌合される。二つの穴部２ａ，２ｂの位置関係は、キャスタ治具５の設計によるものである。なお、筺体２の厚さによっては、二つの穴部２ａ，２ｂを孔部とすることも可能である。
【００１５】
図４に示すように、傾き調整用のボルト３は、キャスタ治具５を介して筺体２に形成される穴部２ａに螺合される。この傾き調整用のボルト３は、キャスタ取付構造の一部である。傾き調整用のボルト３は、自動取引装置１の設置時に、作業者によって床面に頭部３ａが接触するように操作される。一方、自動取引装置１の移動時に、作業者によって首部（座面）３ｂがキャスタ治具５に当接するように締結される。ここでは、ボルト３の頭部３ａが六角形をなす六角ボルトであるが、他の形状であってもよい。なお、設置時に、筺体２を安定させて支持するために、床面と接する頭部３ａの面積は、一定以上あることが望ましく、形状は平面であるのがよい。
【００１６】
図５に示すように、キャスタ４は、板状の土台部４ａと、土台部４ａに配設された支持部４ｂと、支持部４ｂによって支持される車輪４ｃとからなる。土台部４ａの四隅には、キャスタ取り付け用のネジ６が貫通する取付孔４ｄ，４ｄ，・・がそれぞれ形成されている。キャスタ４は、図４に示すように、予めキャスタ取り付け用のネジ６によってキャスタ治具５に締結されており、キャスタ４の取り付け時には、キャスタ治具５と一体となって筺体２に取り付けられる。
【００１７】
図２に示すキャスタ治具５ｆｒ，５ｆｌ，５ｒｒ，５ｒｌは、前後左右の違いがあるものの、基本的な構成は同様である。ここでは、キャスタ治具５ｆｒを例に挙げて説明を行う。図６に示すように、キャスタ治具５（５ｆｒ）は、板状をなしており、平面視で四角形状である。このキャスタ治具５は、キャスタ取付構造の一部である。キャスタ治具５には、キャスタ取付用のネジ穴（雌ネジ）５ａ，５ａ，・・が設けられている。このネジ穴５ａ，５ａ，・・は、キャスタ４に形成される取付孔４ｄ，４ｄ，・・の位置に合うように、合計で四つ設けられている。
【００１８】
また、キャスタ治具５には、傾き調整用のボルト３が貫通する孔部５ｂが設けられている。この孔部５ｂは、筺体２に形成された穴部２ａの位置に合うように設けられている。孔部５ｂは、傾き調整用のボルト３の胴部（軸）が無理なく通る程度の内径であればよい。また、キャスタ治具５のキャスタ４が取り付けられる面の反対側（筺体２に当接する面側）には、位置決め用のポスト５ｃが形成されている。このポスト５ｃは、筺体２に形成された穴部２ｂの位置に合うように設けられており、取り付け時に穴部２ｂに嵌入される。ポスト５ｃは、穴部２ｂに無理なく嵌合する程度の外径であればよく、傾き調整用のボルト３が貫通する孔部５ｂに対してできるだけ遠い位置であることが望ましい。
【００１９】
≪第１実施形態に係るキャスタ治具を用いたキャスタの取り付け方法≫
次に、図７を参照（適宜、図４を参照）して、第１実施形態に係るキャスタ治具５を用いたキャスタ４の取り付け方法について説明する。ここで、作業者は、例えば、自動取引装置１を図示せぬフォークリフト等で持ち上げた状態でキャスタ４の取り付け作業を行う。また、作業者は、キャスタ取り付け用のネジ６，６，・・を用いてキャスタ治具５にキャスタ４を予め取り付けておく。これにより、キャスタ治具５にキャスタ４が固設されたもの（キャスタ４とキャスタ治具５とが一体となったもの）が完成する。
【００２０】
最初に、作業者は、図７（ａ）に示すように、筺体２の底部に取り付けられている傾き調整用のボルト３を全て取り外す。なお、ここでは、金融機関等に既に設置されている自動取引装置１の移動を想定したために、筺体２から傾き調整用のボルト３を取り外す作業を要するが、例えば、製造時のように傾き調整用のボルト３が取り付けられていない場合には、この作業は省略できる。
【００２１】
次に、作業者は、図７（ｂ）に示すように、キャスタ４が取り付けられているキャスタ治具５のポスト５ｃを筺体２の底部に設けられた位置決め用の穴部２ｂに嵌め込み、キャスタ治具５の取り付け時の位置合わせを行う。これにより、キャスタ治具５に形成される孔部５ｂと、筺体２に形成される穴部２ａとが重なり合った状態になる。
【００２２】
次に、作業者は、図７（ｃ）に示すように、キャスタ治具５を筺体２の底部に押しあてた状態で、傾き調整用のボルト３を用いてキャスタ治具５をネジ止めする。これで、一つのキャスタ４の筺体２への取り付けが完了する。そして、作業者は、キャスタ４が取り付けられた残り三つのキャスタ治具５についても繰り返し同様の作業を行い、全てのキャスタ４を筺体２の底部に取り付ける。これによって、筺体２の底部に四つのキャスタを備える移動用の自動取引装置１が完成する。なお、キャスタ４の取り外しは、例えば、自動取引装置１をフォークリフト等で持ち上げてから、ここで説明した取り付け手順とは逆の手順により行われる。
【００２３】
ここで、自動取引装置１を銀行等の金融機関、小売業店舗等に設置するときに、ボルト３は傾き調整に使用されるが、キャスタ４の取り付け時に、ボルト３はキャスタ治具５の締結に使用される。つまり、図７（ａ）に示す状態では、筺体２からのボルト３の突出量ｈ１を適宜変更することができるが、図７（ｃ）に示す状態では、筺体２からのボルト３の突出量ｈ２を変更することができない。しかしながら、図７（ｃ）に示す状態は、自動取引装置１の移動時であるため、傾き調整用のボルト３を傾き調整に使用することは無い。その為、傾き調整用のボルト３をキャスタ４が取り付けられたキャスタ治具５の取り付けに使用することに問題は無い。なお、図７（ｃ）に示す自動取引装置１の移動時の状態において、筺体２からのボルト３の突出量ｈ２は、床面に接触しないようにするために、キャスタ４の高さＨに対して小さいことが望ましい。
【００２４】
以上のように、第１実施形態に係る自動取引装置１は、キャスタ取り付け用のネジ６を用いて予めキャスタ４をキャスタ治具５に取り付けておくことにより、筺体２にキャスタ４を取り付ける際にネジ６を使用しなくてすむ。その為、本実施形態では、筺体２にキャスタ４を取り付ける際のネジ止め箇所が１６箇所から４箇所に低減される。したがって、キャスタ４の筺体２への取り付けに際し、自動取引装置１の下側に作業者の体がくるような無理な姿勢で作業を行う時間が少なくなり体への負担が小さくなる。また、重量物の下に作業者の体が入る作業時間も少なくなるため、危険を少なくする効果もある。更に、第１実施形態に係る自動取引装置１は、図２に示すように、前側のキャスタ治具５ｆｒ，５ｆｌと後側のキャスタ治具５ｒｒ，５ｒｌとの間（前後方向において中央付近）は、筺体２の底部が露出している。その為、この中央付近にフォークリフトの腕（または爪）を入れて自動取引装置１を持ち上げた際に、フォークリフトの腕に邪魔されること無くキャスタ４の取り付けが可能である。
【００２５】
［第２実施形態］
≪第２実施形態に係る自動取引装置の構成≫
以下、図８を参照して、第２実施形態に係る自動取引装置１１の構成について説明する。第２実施形態に係る自動取引装置１１は、筺体１２の底部に前後一つずつ、合計で二つのキャスタ治具１５ｆ，１５ｒを備えて構成されている。キャスタ治具１５ｆとキャスタ治具１５ｒとは前後対称の形状をなしている。以下では、各々のキャスタ治具１５ｆ，１５ｒを特に区別しない場合に、単にキャスタ治具１５と呼ぶことにする。
【００２６】
筺体１２は、箱型をなし、筺体１２の内部には、種々の電子機器や現金が収容されている。筺体１２の底部は、平面状をなしており、図９に示すように、四隅に１箇所ずつ合計で四つの穴部２ａ，２ａ，・・が形成されている。なお、第１実施形態の筺体２に形成されていた穴部２ｂ，２ｂ，・・は、第２実施形態の筺体１２に形成されていない。穴部２ａは、第１実施形態で説明したのと同様に、傾き調整用のボルト３を取り付けるためのネジ穴（雌ネジ）である（図１０参照）。
【００２７】
図８に示すキャスタ治具１５ｆ，１５ｒは、前後の違いがあるものの、基本的な構造は同様である。ここでは、キャスタ治具１５ｆを例に挙げて説明を行う。図１１に示すように、キャスタ治具１５（１５ｆ）は、板状をなしており、平面視で長方形状である。キャスタ治具１５には、キャスタ取付用のネジ穴（雌ネジ）５ａ，５ａ，・・が設けられている。このネジ穴５ａ，５ａ，・・は、左右一対のキャスタ４の取り付けができるように、合計で八つ設けられている。
【００２８】
また、キャスタ治具５には、傾き調整用のボルト３が貫通する孔部５ｂ，５ｂが左右に合計で２箇所設けられている。これらの孔部５ｂは、筺体２に形成された穴部２ａの位置に合うように設けられている。孔部５ｂは、傾き調整用のボルト３の胴部が無理なく通る程度の内径であればよい。
【００２９】
≪第２実施形態に係るキャスタ治具を用いたキャスタの取り付け方法≫
次に、第２実施形態に係るキャスタ治具１５を用いたキャスタ４の取り付け方法について説明する。ここで、作業者は、キャスタ取り付け用のネジ６，６，・・を用いてキャスタ治具１５に一対のキャスタ４，４を予め取り付けておく。これにより、キャスタ治具１５に一対のキャスタ４，４が固設されたもの（一対のキャスタ４，４とキャスタ治具１５とが一体となったもの）が完成する。
【００３０】
作業者は、筺体１２の底部に取り付けられている傾き調整用のボルト３を全て取り外した後に、キャスタ治具１５を筺体１２の底部に押しあてた状態で、二本の傾き調整用のボルト３，３を用いてキャスタ治具１５をネジ止めする。これで、二つのキャスタ４（前側または後側）の筺体１２への取り付けが完了する。そして、作業者は、残りのキャスタ治具１５についても繰り返し同様の作業を行い、全てのキャスタ４を筺体１２の底部に取り付ける。これによって、筺体１２の底部に四つのキャスタを備える移動用の自動取引装置１１が完成する。なお、キャスタ４の取り外しは、例えば、ここで説明した取り付け手順とは逆の手順により行われる。
【００３１】
ここで、自動取引装置１１を銀行等の金融機関、小売業店舗等に設置するときに、ボルト３は傾き調整に使用されるが、キャスタ４の取り付け時に、ボルト３はキャスタ治具１５の締結に使用される。しかしながら、自動取引装置１１の移動時では、傾き調整用のボルト３を傾き調整に使用することは無い。その為、傾き調整用のボルト３をキャスタ４が取り付けられたキャスタ治具１５の取り付けに使用することに問題は無い。
【００３２】
以上のように、第２実施形態に係る自動取引装置１１は、キャスタ取り付け用のネジ６を用いて予め一対のキャスタ４，４をキャスタ治具１５に取り付けておくことにより、筺体１２にキャスタ４を取り付ける際にネジ６を使用しなくてすむ。その為、本実施形態では、筺体１２にキャスタ４を取り付ける際のネジ止め箇所が１６箇所から４箇所に低減される。更に第１実施形態に比べ、キャスタ治具１５は、二本の傾き調整用のボルト３，３によりネジ止めされるため、第１実施形態のようにポスト５ｃを設けて位置決めする必要が無い。したがって、キャスタ４の筺体１２への取り付けに際し、自動取引装置１１の下側に作業者の体がくるような無理な姿勢で作業を行う時間がより少なくなり体への負担がさらに小さくなる。また、重量物の下に作業者の体が入る作業時間もより少なくなるため、危険を少なくする効果も大きくなる。
【００３３】
また、第２実施形態に係る自動取引装置１１は、筺体１２の底部に傾き調整用のボルト３を取り付けるための四つの穴部２ａ，２ａ，・・が形成されていればよく、第１実施形態のようにポスト５ｃが嵌合される穴部２ｂ，２ｂ，・・が形成されている必要がない。その為、自動取引装置の底部に新たな加工を施す必要が無く、現在稼働中の自動取引装置にも適用が可能である。
更に、第２実施形態に係る自動取引装置１１は、図８に示すように、前側のキャスタ治具１５ｆと後側のキャスタ治具１５ｒとの間（前後方向において中央付近）は、筺体１２の底部が露出している。その為、この中央付近にフォークリフトの腕（または爪）を入れて自動取引装置１１を持ち上げた際に、フォークリフトの腕に邪魔されること無くキャスタ４の取り付けが可能である。
【００３４】
［第３実施形態］
≪第３実施形態に係る自動取引装置の構成≫
以下、図１２を参照して、第３実施形態に係る自動取引装置２１の構成について説明する。第３実施形態に係る自動取引装置２１は、筺体１２の底部に四つのキャスタ治具２５ｆｒ，２５ｆｌ，２５ｒｒ，２５ｒｌを備えて構成されている。キャスタ治具２５ｆｌとキャスタ治具２５ｆｒとは左右対称の形状をなしている。また、キャスタ治具２５ｆｒとキャスタ治具２５ｒｒとは前後対称の形状をなしており、また、キャスタ治具２５ｆｌとキャスタ治具２５ｒｌとは前後対称の形状をなしている。以下では、各々のキャスタ治具２５ｆｒ，２５ｆｌ，２５ｒｒ，２５ｒｌを特に区別しない場合に、単にキャスタ治具２５と呼ぶことにする。なお、筺体１２は、第２実施形態と同様であり、図９に示すように、四隅に１箇所ずつ合計で四つの穴部２ａ，２ａ，・・が形成されている。穴部２ａは、第２実施形態で説明したのと同様に、傾き調整用のボルト３を取り付けるためのネジ穴（雌ネジ）である（図１３参照）。
【００３５】
図１２に示すキャスタ治具２５ｆｒ，２５ｆｌ，２５ｒｒ，２５ｒｌは、前後左右の違いがあるものの、基本的な構成は同様である。ここでは、キャスタ治具２５ｆｒを例に挙げて説明を行う。図１４に示すように、キャスタ治具２５（２５ｆ）は、板状をなす本体部２６と、二本のネジ２８，２８を用いて本体部２６の側面に締結される板状のガイド部２７とからなる。
【００３６】
本体部２６には、キャスタ取付用のネジ穴（雌ネジ）２６ａ，２６ａ，・・が設けられている。このネジ穴２６ａ，２６ａ，・・は、キャスタ４に形成される取付孔４ｄ，４ｄ，・・（図５（ｂ））の位置に合うように、合計で四つ設けられている。また、本体部２６には、傾き調整用のボルト３が貫通するＵ字型の切欠き部２６ｂが設けられている。この切欠き部２６ｂは、先端が筺体１２に形成された穴部２ａの位置に合うように設けられている。切欠き部２６ｂは、傾き調整用のボルト３の胴部が無理なく通る程度の幅であればよい。また、本体部２６の切欠き部２６ｂが形成された側の側面には、ガイド部取付用のネジ穴（雌ネジ）２６ｃ，２６ｃが形成されている。
【００３７】
ガイド部２７は、本体部２６の位置決めを行うものである。ガイド部２７は、切欠き部２６ｂが形成された部分に装着され、本体部２６が筺体１２に取り付けられた場合における水平面内の回転を抑止する。このように、ガイド部２７が本体部２６に装着されることによって、切欠き部２６ｂは、傾き調整用のボルト３を貫通させる孔の役割を果たす。ガイド部２７には、ガイド部取付用のネジ２８，２８が貫通する取付孔２７ａ，２７ａが形成されており、ネジ２８，２８によって本体部２６に締結される。
【００３８】
≪第３実施形態に係るキャスタ治具２５を用いたいキャスタの取り付け方法≫
次に、第３実施形態に係るキャスタ治具２５を用いたキャスタ４の取り付け方法について説明する。ここで、作業者は、キャスタ取り付け用のネジ６，６，・・を用いてキャスタ治具２５にキャスタ４を予め取り付けておく。また、ガイド部取付用のネジ２８，２８を用いてキャスタ治具２５にガイド部２７を予め取り付けておく。これにより、キャスタ治具２５にキャスタ４およびガイド部２７が固設されたもの（キャスタ４とキャスタ治具２５とガイド部２７とが一体となったもの）が完成する。
【００３９】
作業者は、筺体１２の底部に取り付けられている傾き調整用のボルト３を全て取り外した後に、ガイド部２７を筺体１２に沿わせることで位置決めを行い、キャスタ治具２５を筺体１２の底部に押しあてた状態で、傾き調整用のボルト３を用いてキャスタ治具２５をネジ止めする。これで、一つのキャスタ４の筺体１２への取り付けが完了する。そして、作業者は、残りのキャスタ治具２５についても繰り返し同様の作業を行い、全てのキャスタ４を筺体１２の底部に取り付ける。これによって、筺体１２の底部に四つのキャスタを備える移動用の自動取引装置２１が完成する。
【００４０】
キャスタ４の取り外しは、例えば、傾き調整用のボルト３を緩め、ガイド部２７を本体部２６から取り外した後に、筺体１２の底部をすべらせるようにして本体部２６を移動させて、切欠き部２６ｂからボルト３を取り外す。この場合、傾き調整用のボルト３を取り外す必要がない。なお、キャスタ４の取り外しは、ここで説明した取り付け手順とは逆の手順により行われてもよい。
【００４１】
ここで、自動取引装置２１を銀行等の金融機関、小売業店舗等に設置するときに、ボルト３は傾き調整に使用されるが、キャスタ４の取り付け時に、ボルト３はキャスタ治具２５の締結に使用される。しかしながら、自動取引装置２１の移動時では、傾き調整用のボルト３を傾き調整に使用することは無い。その為、傾き調整用のボルト３をキャスタ４が取り付けられたキャスタ治具２５の取り付けに使用することに問題は無い。
【００４２】
以上のように、第３実施形態に係る自動取引装置２１は、キャスタ取り付け用のネジ６を用いて予め一対のキャスタ４，４をキャスタ治具１５に取り付けておくことにより、筺体１２にキャスタ４を取り付ける際にネジ６を使用しなくてすむ。その為、本実施形態では、筺体１２にキャスタ４を取り付ける際のネジ止め箇所が１６箇所から４箇所に低減される。更に第１実施形態に比べ、キャスタ治具２５の取り外し時は、本体部２６とガイド部２７とが分離できるようになっているので、ボルト３を取り外す必要がない。したがって、キャスタ４の筺体１２からの取り外しに際し、自動取引装置２１の下側に作業者の体がくるような無理な姿勢で作業を行う必要がなく、重量物の下に作業者の体が入る作業時間もより少なくなるため、危険を少なくする効果も更に大きくなる。
【００４３】
また、第３実施形態に係る自動取引装置２１は、筺体１２の底部に傾き調整用のボルト３を取り付けるための四つの穴部２ａ，２ａ，・・が形成されていればよく、第１実施形態のようにポスト５ｃが嵌合される穴部２ｂ，２ｂ，・・が形成されている必要がない。その為、自動取引装置の底部に新たな加工を施す必要が無く、現在稼働中の自動取引装置（筺体の底部にキャスタを直接ネジ止めするもの）にも適用が可能である。
更に、第３実施形態に係る自動取引装置２１は、図１２に示すように、前側のキャスタ治具２５ｆｒ，２５ｆｌと後側のキャスタ治具２５ｒｒ，２５ｒｌとの間（前後方向において中央付近）は、筺体１２の底部が露出している。その為、この中央付近にフォークリフトの腕（または爪）を入れて自動取引装置２１を持ち上げた際に、フォークリフトの腕に邪魔されること無くキャスタ４の取り付けが可能である。
【００４４】
［変形例］
以上、本発明の実施形態について説明したが、本発明はこれに限定されるものではなく、その趣旨を変えない範囲で実施することができる。実施形態の変形例を以下に示す。
【００４５】
第１ないし第３実施形態では、自動取引装置１，１１，２１について説明した。しかしながら、底部に設置時の傾き調整用のボルトと、移動用のキャスタを取り付けることができ、傾き調整用のボルトと移動用のキャスタとの双方が近傍にある他の装置でも同様に適用が可能である。
【００４６】
また、第３実施形態では、一つのキャスタ治具２５に対して一つの切欠き部２６ｂが形成されていたが、第２実施形態にように、一つのキャスタ治具２５に対して複数の切欠き部２６ｂが形成されていてもよい。
【符号の説明】
【００４７】
１，１１，２１  自動取引装置
２，１２  筺体
２ａ    穴部（キャスタ取付構造、傾き調整機構）
２ｂ    穴部（キャスタ取付構造）
３      傾き調整用のボルト（キャスタ取付構造、傾き調整機構）
４      キャスタ
５，１５，２５  キャスタ治具（キャスタ取付構造）
５ａ    キャスタ取付用のネジ穴
５ｂ    孔部
５ｃ    ポスト
６      ネジ
２６    本体部
２７    ガイド部
【図１】
2017083961.tif 000003
【図２】
2017083961.tif 000004
【図３】
2017083961.tif 000005
【図４】
2017083961.tif 000006
【図５】
2017083961.tif 000007
【図６】
2017083961.tif 000008
【図７】
2017083961.tif 000009
【図８】
2017083961.tif 000010
【図９】
2017083961.tif 000011
【図１０】
2017083961.tif 000012
【図１１】
2017083961.tif 000013
【図１２】
2017083961.tif 000014
【図１３】
2017083961.tif 000015
【図１４】
2017083961.tif 000016